Podtech/llm-jp-corpus-v4-ja_patent huggingface dataset:
(57)【要約】【課題】溝付き軸受用溝形成工具の切削抵抗を低減すると共に、切削する溝幅を正確に形成する。【解決手段】溝付き軸受用溝形成工具において、工具先端の載置体１１の先端部１１１外周に多角形を構成する切削部材設定部１１１aを設け、その角部にそれぞれ菱形の第一切刃１２１a、１２２a、第二切刃１２１b、１２２bを備えた切削部材１２をそれぞれの切刃が菱形となるように構成して設ける。これらの切刃の幅が切削により形成する溝の幅となる。【選択図】図１
0003126563.tif 000002
【実用新案登録請求の範囲】
【請求項１】
工具先端の載置体の外周に一つ以上の切削部材を固設し、切削部材上にそれぞれ切刃を備えた第一切削部及び第二切削部を設けると共に、第一切削部及び第二切削部を菱形に構成してなることを特徴とする、溝付き軸受用溝形成工具。
【請求項２】
前記第一切削部は、第一切刃及び第二切刃を平行に設けてなることを特徴とする、請求項１に記載の溝付き軸受用溝形成工具。
【請求項３】
前記第二切削部は、第一切刃及び第二切刃を平行に設けてなることを特徴とする、請求項１に記載の溝付き軸受用溝形成工具。
【請求項４】
前記載置体と切削部材は、一体に形成してなることを特徴とする、請求項１に記載の溝付き軸受用溝形成工具。
【請求項５】
前記載置体の末端には切削部材設定部を設けて切削部材を固設させてなることを特徴とする、請求項１に記載の溝付き軸受用溝形成工具。
【考案の詳細な説明】
【技術分野】
【０００１】
本考案は、流体により潤滑作用を行なわせる滑り軸受けにおける潤滑流体に動圧を発生させるための溝を形成する溝付き軸受用溝形成工具に関し、特に切削部材及び切削部材を固設可能な載置体より構成され、溝切に用いられる工具構造に関する。
【背景技術】
【０００２】
1994年10月25日公開の特開平６−２９７２２６号公報「溝付き軸受用溝成形工具」において、工具１０上に開設される設定部２０上に切削突部２４を設置し、前記設定部２０は内凹を形成して、前記設定部２０の中間部は切削突出部２４を嵌設させた構造が記載されている。
【０００３】
前述の公知の工具構造における切削突部２４は、実際の切削工程において、切削時の被加工物の切削抵抗により切削突部２４が損傷し易い。
【０００４】
また、1998年11月17日公開の米国特許第５８３６０７７号明細書「METHOD  FOR  FORMING  GROOVES」において、溝切工具１１の末端に機械部１４を設けると共に、機械部１４は作業孔２１の軸向きに平行に切刃１４ｂを設けて、作業孔２１の円周方向と平行に輻射状の切刃１４ｃを設け、相対して同時に作業孔２１内に向かい軸方向及び輻射方向に移動することにより、作業孔２１内に流体圧力を発生させる溝２１ａを形成することを可能とすることが記載されている。
【０００５】
前述のように、公知の工具構造が切削する溝２１ａは、その溝２１aの最高端及び最低端が、容易に平面になり、鋭利な切刃面にならず、鋭利でない平面は流体圧力を発生させる溝２１ａに溝内の円滑な流動をさせることができない要因となる。
【０００６】
【特許文献１】特開平６−２９７２２６号公報
【特許文献２】米国特許第５８３６０７７号明細書
【考案の開示】
【考案が解決しようとする課題】
【０００７】
本考案は、載置体の末端に切削部材を固設した工具構造を提供することを目的とする。
【課題を解決するための手段】
【０００８】
上述の目的を達成する為、本考案が提供する「溝付き軸受用溝形成工具」は、載置体の末端に一つ以上の切削部材を固設し、切削部材上に第一切削部及び第二切削部を具有して、第一切削部及び第二切削部は菱形を構成する。
【考案の効果】
【０００９】
本考案と公知の技術を比較し、本考案は下記の長所と効果を具有する。
（１）本考案の切削部材１２は、工具の載置体１１の末端１１１に形成した切削部材設定部１１１ａ上に固定され、切削部材１２は嵌め込み方式により切削部材設定部１１１ａと相互に接合されて削部材１２と載置体１１との間の結合強度を大幅に向上する。
（２）切削時、切削溝１３の広さW1、W2が第一切削部１２１、第二切削部１２２の長さD1、D2と等しくなる為、切削部材１２の長さD1,D2が切削溝１３の広さW1,W2を決定することが可能となる。
【考案を実施するための最良の形態】
【００１０】
図１は、本考案の実施例であって、図に示すように、載置体１１及び切削部材１２より構成され、載置体１１の末端１１１には一つ以上の切削部材設定部１１１ａを設けて一つ以上の切削部材１２に固設し（載置体１１と切削部材１２は一体に成形することも可能）、切削部材１２上に第一切削部１２１及び第二切削部１２２を設けて、第一切削部１２１及び第二切削部１２２は菱形に構成する。
図２，３に示すように、第一切削部１２１は、第一切刃１２１ａ及び第二切刃１２１ｂより構成され、第二切削部１２２は第一切刃１２２ａ及び第二切刃１２２ｂより構成される。
【００１１】
図４に示すように、切削時、溝１３の広さW1は、第一切削部１２１の長さD1と等しくなり、溝１３の広さW2は第二切削部１２２の長さD2と等しくなる。
【００１２】
上述の説明により、本考案と公知の技術を比較し、本考案は下記の長所と効果を具有する。
【００１３】
（１）本考案の切削部材１２は、載置体１１の末端１１１が開設する切削部材設定部１１１ａ上に固設してなり、切削部材１２は嵌め込み方式により切削部材設定部１１１ａと相互に接合し、切削部材１２と載置体１１との間の結合強度を大幅に向上する。
（２）切削時、溝１３の広さW1、W2が第一切削部１２１、第二切削部１２２の長さD1、D2と等しくなる為、切削部材１２の長さD1,D2が溝１３の広さW1,W2を決定することが可能となる。
【００１４】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、特許請求の範囲で指定した内容を基準とする。
【図面の簡単な説明】
【００１５】
【図１】本考案の立体分解図である。
【図２】本考案の側面図である。
【図３】本考案の平面図である。
【図４】本考案の切削時の軌跡の説明図である。
【符号の説明】
【００１６】
１１ 載置体
１１１ 末端
１１１ａ 切削部材設定部
１２ 切削部材
１２１ 第一切削部
１２１ａ 第一切刃
１２１ｂ 第二切刃
１２２ 第二切削部
１２２ａ 第一切刃
１２２ｂ 第二切刃
１３ 溝
Ｄ１ 、Ｄ２ 長さ
Ｗ１、Ｗ２ 広さ
【図１】
0003126563.tif 000003
【図２】
0003126563.tif 000004
【図３】
0003126563.tif 000005
【図４】
0003126563.tif 000006
(57)【要約】【課題】リュックサック形式のバッグであり、バッグの中に温度調節部材として保冷材またはカイロを入れることでバッグの中のドリンクを保温冷すると同時に、リュックサックとして背負う人の背中を適度に冷やす、あるいは適度に温めて、暑さ対策・寒さ対策を兼ねるバッグを提供する。【解決手段】リュックサック形式のバッグで、バッグ本体の内側の背中に接する部分に、温度調節部材を固定するポケットを有する。バッグ本体の内側の温度調節部材の温度影響を受ける位置にドリンク収納ポケットを有する。【選択図】図3
0003126540.tif 000002
【実用新案登録請求の範囲】
【請求項１】
背負うことができるバッグ本体と、該バッグ本体の収納部内面の利用者の背中位置に設けられた温度調整部材収納部と、該温度調整部材収納部に着脱可能に収納される温度調節部材と、バッグ収納部内の前記温度調節部材で温度影響を受ける位置に設けられたドリンク収納ポケットとより構成される保温冷バッグ。
【請求項２】
温度調節部材収納部と利用者の体の間に温度緩衝材を設けたことを特徴とする請求項１記載の保温冷バッグ。
【考案の詳細な説明】
【技術分野】
【０００１】
本考案は、リュックサックとして背負うことのできるバッグであり、バッグの中に収納したドリンク類と、バッグを背負っている人の背中を同時に冷やすことができる。あるいは温めることができるバッグに関するものである。
【背景技術】
【０００２】
従来のバッグは、バッグの中に収納したドリンク類を保温保冷するものはあったが、バッグの中のドリンク類と同時にバッグを持つ人の身体を冷やす、あるいは温めるものはなかった。
【考案の開示】
【考案が解決しようとする課題】
【０００３】
バッグの中のドリンク類は冷えていても、バッグを持つ人間は、その冷たさに触れることはなく、夏には熱中症等の危険を軽減または回避できることはなかった。
本考案は、以上の欠点を解決するものである。
【課題を解決するための手段】
【０００４】
背負うことができるバッグ本体と、該バッグ本体の収納部内面の利用者の背中位置に設けられた温度調節部材収納部と、該温度調節部材収納部に着脱可能に収納される温度調節部材と、バッグ収納部内の前記温度調節部材で温度影響を受ける位置に設けられたドリンク収納ポケットとより構成される。
また、温度調節部材収納部と利用者の体の間に温度緩衝材を設けたことを特徴とする。
【考案の効果】
【０００５】
バッグの中に保冷材またはカイロをいれることで、バッグの中のドリンク類を冷たく、あるいは温かく保つと同時に、バッグをリュックサックとして背負う人の背中を、保冷材を入れた場合には冷やすことが可能となり、バッグが暑さ対策・熱中症対策の役割を兼ねる。
カイロを入れた場合には、ドリンク類と人の背中を同時に温めることになり、バッグが寒さ対策の役割を兼ねる。
また、温度調節部材収納部と利用者の体の間に温度緩衝材を設けることにより、利用者への温度影響を和らげ、心地よい使用感を得ることができる。
【考案を実施するための最良の形態】
【０００６】
以下、本考案の実施の形態を図面に従って詳しく説明する。
図１が示すように本考案は肩掛けベルト（２）を持つリュックサック形式のバッグ（１）であり、人が背負ったときに温度調節部材である保冷材またはカイロを固定するポケット（４）と、その前面位置に設けられたドリンク類を固定するポケット（５）で構成されるものである。
バッグ本体の背中に接する側は、バッグ本体の内布（６）とバッグ本体の外布（７）の間に、温度緩衝素材（８）を設ける。温度緩衝素材は、背中に伝わる温度を和らげ、また保冷材の場合には結露による水滴で背中を濡らさないためのものである。温度調節部材収納部（４）に入れた保冷材またはカイロの温度を和らげながら、適度に背中に伝える素材または厚さをもつものが好ましい。ただし、バッグ本体の内布（６）または外布（７）自体が適度な厚みや吸湿性を持った素材であれば、温度緩衝素材（８）の挿入は省略しうるものである。
本考案は以上のような構造で、これを使用するときは温度調節部材収納部（４）に温度調節部材である保冷材またはカイロ（９）を入れて、ドリンク収納ポケット（５）にドリンク類（１０）を入れて、リュックサックとして背負う。このことにより温度調節部材がドリンク類を冷やすと同時に、身体も適度に冷やしてくれる。あるいは温めてくれることとなる。
【図面の簡単な説明】
【０００７】
【図１】本考案の開口状態を示す平面図
【図２】バッグ側面の断面図
【図３】バッグに温度調節部材とドリンク類を入れた状態図
【図４】バッグを人が使用している際の透視断面図
【符号の説明】
【０００８】
１．            バッグ本体
２．            バッグ開閉ファスナー
３．            肩掛けベルト
４．            温度調節部材収納部
５．            ドリンク収納ポケット
６．            バッグ本体内布
７．            バッグ本体外布
８．            温度緩衝材
９．            温度調節部材
１０．            ドリンク類
【図１】
0003126540.tif 000003
【図３】
0003126540.tif 000004
【図４】
0003126540.tif 000005
【図２】
0003126540.tif 000006
(57)【要約】      （修正有）【課題】従来の技術によれば、シャンクが規格テーパーの為に使用できる小型フライス盤等の仕様に限定された。そこで、旋盤・フライス盤等の個別仕様に限定される事なく刃物を取付使用できる刃物取付具を提供する。【解決手段】機械に取り付けるシャンク部をテーパー状ではなくストレートにすることにより、小型旋盤・フライス盤等の個別仕様に限定される事なく刃物を取付使用できる。また、刃物の取付を凹状のカバーをボルトで固定することにより、刃厚に合わせたカラーリングを使用することなく、刃物を取り付けることが出来る。【選択図】図１
0003126537.tif 000002
【実用新案登録請求の範囲】
【請求項１】
機械に取り付けるシャンク部をストレート状に加工した刃物取付具
【請求項２】
刃物取付部に凹状の取付カバーを使用して刃物を固定する刃物取付具
【考案の詳細な説明】
【技術分野】
【０００１】
この考案はメタルソウ等の取付に用いる刃物取付具の形状に関するものである。
【背景技術】
【０００２】
従来の刃物取付に用いる刃物取付具の形状はシャンクが規格のテーパーになっているのが主流である。また、刃物取付部については、ナットで刃を固定する物が主流である。
【特許文献１】特許公開２００４−２４３４２４
【考案の開示】
【考案が解決しようとする課題】
【０００３】
従来の技術によれば、シャンクが規格テーパーの為に使用できる小型フライス盤等の仕様に限定された。そこで、この発明は、旋盤・フライス盤等の個別仕様に限定される事なく刃物を取付使用できる刃物取付具を提供することを課題とする。また、刃物取付部についてはナットで固定する場合刃厚に合わせたカラーリングが必要であった。
【課題を解決するための手段】
【０００４】
機械に取り付けるシャンク部をテーパー状ではなくストレートにする。また、刃物取付部を凹状のカバーをボルトで固定し、刃物を取り付ける構造にする。
【考案の効果】
【０００５】
機械に取り付けるシャンク部をテーパー状ではなくストレートにすることにより、小型旋盤・フライス盤等の個別仕様に限定される事なく刃物を取付使用できる。また、刃物の取付を凹状のカバーをボルトで固定することにより、刃厚に合わせたカラーリングを使用することなく、刃物を取り付けることが出来る。
【実施例１】
【０００６】
図１に示すように、シャンク部をテーパー状ではなくストレートに加工する。また、刃物取付部は凹状のカバーをボルトで固定し取り付けられる構造とする。図２は本考案を適用した刃物取付具に刃物を取り付けた状況を示す図である。
【図面の簡単な説明】
【０００７】
【図１】本考案を適用した刃物取付具の全体図である。
【図２】本考案を適用した刃物取付具に刃物を取り付けた実施例を示す図である。
【符号の説明】
【０００８】
１    シャンク
２    刃物取付部
３    内ネジ
４    刃物取付カバー
５    ボルト取付穴
６    カバー固定ボルト 
【図１】
0003126537.tif 000003
【図２】
0003126537.tif 000004
【手続補正書】
【提出日】平成18年8月30日(2006.8.30)
【手続補正１】
【補正対象書類名】実用新案登録請求の範囲
【補正対象項目名】全文
【補正方法】変更
【補正の内容】
【実用新案登録請求の範囲】
【請求項１】
刃物取付部に凹状の取付カバーを使用して刃物を固定する刃物取付具
【手続補正２】
【補正対象書類名】明細書
【補正対象項目名】全文
【補正方法】変更
【補正の内容】
【考案の詳細な説明】
【技術分野】
【０００１】
この考案はメタルソウ等の取付に用いる刃物取付具の形状に関するものである。
【背景技術】
【０００２】
従来の刃物取付に用いる刃物取付具の刃物取付部の構造は、ナットで刃を固定する物が主流である。
【特許文献１】特許公開２００４−２４３４２４
【考案の開示】
【考案が解決しようとする課題】
【０００３】
従来のメタルソウ等の取付に用いる刃物取付具はナットにより刃を固定するため、刃厚により限定され、違う刃厚の刃を固定するためには刃厚に合わせたカラーリングが必要であり、汎用的に使用できるものではなかった。この考案は、刃厚に限定される事なく、また、カラーリングを使用せずに刃物を取付使用できる刃物取付具を提供することを課題とする。
【課題を解決するための手段】
【０００４】
刃物取付具の刃物取付部を凹状のカバーをボルトで固定し、刃物を取り付ける構造であることを特徴とする請求項１記載の刃物取付具。
【考案の効果】
【０００５】
刃物の取付部を凹状のカバーをボルトで固定する構造にすることにより、刃厚に合わせたカラーリングを使用することなく、刃物を取り付けることが出来る。
【実施例１】
【０００６】
図１に示すように刃物取付具の刃物取付部を凹状のカバーをボルトで固定し取り付けられる構造とする。図２は本考案を適用した刃物取付具に刃物を取り付けた状況を示す図である。
【図面の簡単な説明】
【０００７】
【図１】本考案を適用した刃物取付具の全体図である。
【図２】本考案を適用した刃物取付具に刃物を取り付けた実施例を示す図である。
【符号の説明】
【０００８】
１    シャンク
２    刃物取付部
３    内ネジ
４    刃物取付カバー
５    ボルト取付穴
６    カバー固定ボルト
(57)【要約】      （修正有）【課題】普通ごはん、おこげごはん、おかゆごはんの３種類を作るようにする電気炊飯器の提供。【解決手段】二度だき構造を有する電気炊飯器であり、可変スイッチを有する電気炊飯器である。【選択図】図２
0003126350.tif 000002
【実用新案登録請求の範囲】
電気炊飯器の温度スイッチを２段階とし、普通ご飯とおこげご飯の２種類を作れる様にする。
【考案の詳細な説明】
普通ご飯と、おこげご飯の２種類を作れる様にするのだが世の中にはおこげご飯の好きな人と普通のご飯の好きな人がいる。温度スイッチを２段階にすると好みのご飯を作ることが出来る。
0003126350.tif 000003
【手続補正書】
【提出日】平成17年12月6日(2005.12.6)
【手続補正１】
【補正対象書類名】実用新案登録請求の範囲
【補正対象項目名】全文
【補正方法】変更
【補正の内容】
【実用新案登録請求の範囲】
【請求項１】
普通ごはん、おこげごはん、おかゆごはんの３種類を作るようにすることを特徴とする電気炊飯器。
【手続補正２】
【補正対象書類名】明細書
【補正対象項目名】全文
【補正方法】変更
【補正の内容】
【考案の詳細な説明】
【考案の詳細な説明】
【０００１】  普通ごはん、おこげごはん、おかゆごはんの３種類を作るのだが、世の中にはそれぞれのご飯を好きな人がいる。温度スイッチを２段階にすると好みのご飯を作ることが出来る。
【図面の簡単な説明】
【０００２】
【図１】正面図  電気炊飯器
【図２】立面図
【図３】側面図
【図４】温度スイッチ２段階、拡大図  スイッチ１のタイマースイッチは、１分から１０分までの可変スイッチとする。」これでもって、おこげごはんは自由に作れる。また水分を補給することによって、おかゆごはんも作れる。タイマースイッチは、普通ごはんの出来たあとに作動させるものである。
【手続補正３】
【補正対象書類名】図面
【補正対象項目名】全図
【補正方法】変更
【補正の内容】
【図１】
0003126350.tif 000004
【図２】
0003126350.tif 000005
【図３】
0003126350.tif 000006
【図４】
0003126350.tif 000007
【手続補正書】
【提出日】平成18年3月14日(2006.3.14)
【手続補正１】
【補正対象書類名】実用新案登録請求の範囲
【補正対象項目名】全文
【補正方法】変更
【補正の内容】
【実用新案登録請求の範囲】
【請求項１】
○  二度だき構造を有する電気炊飯器
○  可変スイッチを有する電気炊飯器である。
【手続補正２】
【補正対象書類名】図面
【補正対象項目名】全図
【補正方法】変更
【補正の内容】
【図１】
0003126350.tif 000008
【図２】
0003126350.tif 000009
【図３】
0003126350.tif 000010
【図４】
0003126350.tif 000011
【手続補正書】
【提出日】平成18年5月24日(2006.5.24)
【手続補正１】
【補正対象書類名】実用新案登録請求の範囲
【補正対象項目名】全文
【補正方法】変更
【補正の内容】
【実用新案登録請求の範囲】
【請求項１】
可変スイッチを有する電気炊飯器
(57)【要約】【課題】  歩行器の機能を合わせ持つ、ポーターカートを得る。【解決手段】  本考案のポーターカート兼歩行器は、下辺両端に車輪（２ａ・２ｂ）を装備した一対のメインフレ−ム（１ａ・１ｂ）を、ほぼその中央部で交差させて回動自在に軸着し、その上部を座板（３）、下部を補強アーム（４）で固定し、かつハンドルフレーム（５）をメインフレーム（１ａ）の下端に開閉自在に枢着してなる。【選択図】図１
0003126399.tif 000002
【実用新案登録請求の範囲】
【請求項１】
下辺両端に車輪（２ａ・２ｂ）を装備した一対のメインフレーム（１ａ・１ｂ）を、ほぼその中央部で交差させて回動自在に軸着し、その上部を座板（３）、下部を補強アーム（４）で固定し、かつハンドルフレーム（５）をメインフレーム（１ａ）の下端に開閉自在に枢着してなる、ポーターカート兼歩行器。
【考案の詳細な説明】
【技術分野】
【０００１】  本考案は、着座して体重を歩行器に預けながら、着地した足を使って歩行できるポーターカート兼歩行器に関するものであり、さらに詳しくは、ハンドルフレームを前方開放可能とすることで、乗り降りを極めて楽にした、折りたたみ自在のポーターカート兼歩行器に関するものである。
【背景技術】
【０００２】  必要な時には椅子としても使える、ポーターカート（手押し車式買い物篭）は、社会の高齢化が進む昨今、すでにさまざまなデザインのものが商品化されている。
【考案の開示】
【考案が解決しようとしている課題】
【０００３】  しかしながら、そうした従来のポーターカートは、収納部に荷物を入れて、押して歩き、疲れたら座って休むという機能しかなく、高齢者や足腰の不自由な人にとって、今一つ物足りないところがあった。
【０００４】  本考案は、そうした従来のポーターカートが持つ機能に加えて、座ったまま歩いて移動できる機能をも合わせ持つ、新規な形態のポーターカート兼歩行器に関するものである。
【課題を解決するための手段】
【０００５】  すなわち、本考案によるポーターカート兼歩行器は、下辺両端に車輪（２ａ・２ｂ）を装備した一対のメインフレーム（１ａ・１ｂ）を、ほぼその中央部で交差させて回動自在に軸着し、上部を座板（３）、下部を補強アーム（４）で固定し、かつハンドルフレーム（５）をメインフレーム（１ａ）の下端に開閉自在に枢着してなるものである。
【考案の効果】
【０００６】  よって、本考案によるポーターカート兼歩行器は、従来のポーターカートの持つ機能、つまり荷物を収納し、押して歩く、疲れたら腰掛けて休むといった機能に加えて、跨がって歩行器に着座し、体重を歩行器に預けながら、着地した足を使って歩行することもできるので、高齢者や足腰の不自由な人でも、足腰にさほど負担をかけずに、前後左右はもちろん、長距離をも楽に移動できる、極めて有用な歩行器である。
【０００７】  加えて、本考案のポーターカート兼歩行器は、跨がって座る方式のため、車椅子のような横幅も必要なく、極めてコンパクトで、かつ折りたたみも自在なので、収納にも運搬にも便利である。さらに、本考案のポーターカート兼歩行器の画期的な点は、ハンドルフレームを前方に開放できるようにして、乗り降りを極めて楽にしたことである。
【考案を実施するための最良の形態】
【０００８】  本考案のポーターカート兼歩行器の骨組みは、アルミ等の軽金属が適しているが、さほど強度を要しない部分には、プラスチックや木材を用いてもよい。座板と背もたれは自転車のサドルの様に、クッション性のある素材をレザーやビニールで被覆して仕上げる。【０００９】  四隅の車輪は、後輪は水平軸両端に車輪を軸着した普通の車輪でよいが、前輪には方向転換自在のいわゆるキャスターを用いる。【００１０】  座板の地面からの高さの調節は、座板及び下部の補強アームに設けた、メインフレームの開閉度を調節する、段階的係止歯等により行う。なお、下部の補強アームは中折れ式にすると、折りたたむとき、より使い勝手がよい。【００１１】  荷物の収納篭は、ネットや折りたたみ式の金網等により、全体を折りたたんだ際に邪魔にならない箇所に取付ける。【００１２】  ハンドルフレームは、メインフレームの下端に開閉自在に枢着してあるので、前方に倒して開放すれば、乗り降りが極めて楽にできる。つまり、足腰の弱い人でも、あるいはスカートを着た女性でも、開放された前方側から容易に跨がって座ることができる。乗り込んだら、ハンドルフレームを元に戻して、歩行器上部に勘合固定し、歩行を開始する。もちろん、ハンドルフレームを歩行器上部に勘合固定したまま、後方から馬乗りに跨がって乗り降りしても一向にさしつかえない。
【実施例】
【００１３】  以下、一実施例を図面に沿って説明する。図１は本考案のポーターカート兼歩行器の斜視図である。すでに説明した通り本考案のポーターカート兼歩行器は、下辺両端に車輪（２ａ・２ｂ）を装備した一対のメインフレーム（１ａ・１ｂ）を、ほぼその中央部で交差させて回動自在に軸着し、上部を座板（３）、下部を補強アーム（４）で固定し、かつハンドルフレーム（５）をメインフレーム（１ａ）の下端に開閉自在に枢着してなるものである。【００１４】  なお、後輪（２ｂ）は、水平軸両端に車輪を軸着した普通の車輪で、前輪（２ａ）は方向転換自在のいわゆるキャスターである。また、（６）は背もたれであり、折りたたむことができる。【００１５】  ハンドルフレーム（５）は、メインフレーム（１ａ）下端に開閉自在に枢着されているので、ハンドルフレーム（５）を図２のように前に倒して開放すると、開放された前方から、乗り降りが極めて楽にできる。乗り降りが済んだら、ハンドルフレーム（５）を元に戻して、歩行器上部に勘合固定する。もちろん、ハンドルフレーム（５）を歩行器上部に勘合固定したまま、後方から馬乗りに跨がって乗り降りしてもさしつかえない。【００１６】  座板（３）の地面からの高さの調節は、座板（３）及び下部の補強アーム（４）に、メインフレーム（１ａ・１ｂ）の開閉度を調節する、段階的係止歯等を設けて行うとよい。なお、下部の補強アーム（４）は中折れ式にすると、折りたたむとき、より使い勝手がよい。【００１７】  最後に、図面では省略したが、荷物の収納篭は、ネットや折りたたみ式の金網等により、全体を折りたたんだ際に邪魔にならない箇所に取付けることができる。また、歩行器として使用せずに、ハンドルフレームに手をかけて押して歩くことにより、単なるポーターカートとしても使えることは言うまでもない。
【図面の簡単な説明】
【００１８】
【図１】    本考案によるポーターカート兼歩行器の斜視図。
【図２】    本考案によるポーターカート兼歩行器の側面図。
【符号の説明】
【００１９】  １ａ    メインフレーム
１ｂ    メインフレーム
２ａ    前輪
２ｂ    後輪
３      座板
４      補強アーム
５      ハンドルフレーム
６      背もたれ
【図１】
0003126399.tif 000003
【図２】
0003126399.tif 000004
(57)【要約】      （修正有）【課題】市販の手提げ缶一個に、複数色のペンキを一度に入れて持ち歩きながら作業が行えるようにする。【解決手段】単体のペンキ槽に繋ぎ翼（３）をそれぞれ設ける、これによって複数個のペンキ槽を繋ぎ合わせて、一対となしたカートリッヂを構成させる。これを従来の手提げ缶に装着することによって、手提げ缶の内部が複数個のペンキ槽に区分される。区分されたそれぞれのペンキ槽に使用したい色別のペンキ入れ、一個の手提げ缶で多色の数のペンキを一度に持ち歩いて効率よく且つ、安全に作業が出来るようにしたことを特徴とするカートリッヂである。【選択図】図１
0003126394.tif 000002
【実用新案登録請求の範囲】
【請求項１】
ペンキ槽を複数個繋いで一対をなさせる為、繋ぎ翼を設けたことを特徴とするカートリッヂ。
【考案の詳細な説明】
【技術分野】
【０００１】  本考案は、従来の手提げ缶に複数のペンキ槽を組み合わせてなるカートリッヂを装着し手提げ缶の内部を複数に区切り、これに必要な色別のペンキを入れて持ち歩けるようにするため、繋ぎ翼を設けたことを特徴とするカートリッヂ。
【背景技術】
【０００２】  そもそもカートリッヂの目的は、手提げ缶にペンキが付着して汚れることを防ぐのが目的とするものであるが、従来のカートリッヂでは、手提げ缶一個に１カートリッヂ方式であることから、仕上げ作業時には数種類の色を使うため、必要とする色の数だけ手提げ缶を持ち歩かなければならなかった。【０００３】  従来の方式では高所足場作業時など一度に色別の手提げ缶を３から５個程度持ち歩くことになり時には両手がふさがり、手摺等に掴まる事も出来ずに非常に危険であった。
【考案の開示】
【考案が解決しようとする課題】
【０００４】  これには次のような問題点があった。【０００５】  従来の方式では一色当たり手提げ缶一個が独占されていた。そもそも塗装作業では仕上げの段階に至ると複数の色のペンキを使用する為、多数の手提げ缶を持ち歩かなければならず、作業効率を非常に悪くし且つ、墜落事故等の危険性も高かった。【０００６】  特に、高所足場作業では、複数の手提げ缶を持ち歩くことは、非常に危険であった。
本考案は、以上のような欠点をなくするために、なされたものである。
【課題を解決するための手段】
【０００７】  ペンキ槽を複数個繋いで一対をなさせる為、繋ぎ翼を備えたカートリッヂを考案した。【０００８】  複数のペンキ槽を組み合わせて一対をなしたカートリッヂを従来の手提げ缶に装着する。【０００９】  ペンキ槽間の隙間から手提げ缶の中へのペンキの漏出を、繋ぎ翼で防ぐようにした。【００１０】  繋ぎ翼の先端部分にハケ削ぎを設けた。【００１１】  ペンキ槽の上部に鍔を設け、この鍔と手提げ缶を密着させ、ペンキ槽が揺れ動くことを防止すると同時に手提げ缶との隙間を無くし、ペンキの漏出を防止した。
【考案の効果】
【００１２】  塗装作業において、本考案のカートリッヂを手提げ缶に装着することによって、手提げ缶一個で数色のペンキを一度に持ち歩いて作業が出来るようになり、安全性及び効率性を高めることが出来る事になる。【００１３】  本考案のカートリッヂを手提げ缶に装着することによって、従来からの目的である手提げ缶の内部にペンキが付着して汚れることも防ぐ事が出来のである。
【考案を実施するための最良の形態】
【００１４】  以下、考案を実施するための最良の形態について説明する。
（図１）は本考案のペンキ槽単体の正面斜視図である。
（図２）は本考案のペンキ槽単体を繋ぎ合わせて一対をなしたカートリッヂの平面図である。【００１５】  （図１）の１はペンキ槽である。この中に色別のペンキを入れるのである。【００１６】  （図１）の２は鍔である。手提げ缶の縁に掛けてペンキの付着及び、ペンキ槽の揺れ動きを防ぐのである。【００１７】  （図１）の３は繋ぎ翼である。槽と槽を繋ぎ一対化したカートリッヂを構成させ、同時に槽間の隙間へのペンキの漏出を防ぎ且つ、翼の先端部分はハケ削ぎの役割を果たす。
【図面の簡単な説明】
【００１８】
【図１】は本考案のペンキ槽単体の正面斜視図である。
【図２】は本考案のペンキ槽単体を繋ぎ合わせて一対をなしたカートリッヂの平面図である。
【符号の説明】
【００１９】  １  ペンキ槽
２  鍔
３  繋ぎ翼
【図１】
0003126394.tif 000003
【図２】
0003126394.tif 000004
(57)【要約】【課題】電力供給配電箱への落書きや貼り紙行為を事前に阻止し、かつ、街並みに溶け込む美観をも付与すること。【解決手段】電力供給配電箱２の外形サイズに合わせ、その底部を除く全面を覆うように成形した袋状ネット１の全面に造花３を絡ませ、前記袋状ネットの下端縁に結束用ロープ４を取り付けた。【選択図】図１
0003126395.tif 000002
【実用新案登録請求の範囲】
【請求項１】
電力供給配電箱の外形サイズに合わせ、その底部を除く全面を覆うように成形した袋状ネットの全面に造花を絡ませ、前記袋状ネットの下端縁に結束用ロープを取り付けたことを特徴とする電力供給配電箱用の落書き・貼り紙阻止ネット。
【考案の詳細な説明】
【技術分野】
【０００１】  本考案は、電力供給配電箱への落書き・貼り紙を事前に阻止するネットに関するものである。
【背景技術】
【０００２】  近年、街中のいたるところでペンキスプレーを主とした落書きや、違法な貼り紙の被害が多発し、社会問題化しているのは周知の通りである。その中で、電線の地中化に伴ない、舗道上の植え込み等には、電力供給配電箱が設置されているのをしばしば見掛けることがあるが、この電力供給配電箱にも、落書きや貼り紙の被害が後をたたない。そこで、これらの被害を防ぐため、電力供給配電箱の側面全面に無数の突起物を施したものまで登場している。
【考案の開示】
【考案が解決しようとする課題】
【０００３】  ところが、上記突起物は、貼り紙に対してはある程度の効果はあるものの、落書きには全くの無能であって、返ってこれを消すのに苦闘を強いられるのが現状であった。【０００４】  本考案は、落書きや貼り紙を事後作業による現状回復という方法では行なわず、電力供給配電箱へのこれらの行為を事前に阻止し、かつ、街並みに溶け込む美観をも付与することを目的とする。
【課題を解決するための手段】
【０００５】  本考案者は、電力供給配電箱への落書きや貼り紙を行なえないようにするにはどうしたらいいかを模索していたところ、カラスの被害対策として生ゴミに被せるネットに思い至り、本考案を完成させた。すなわち、本考案は、電力供給配電箱の外形サイズに合わせ、その底部を除く全面を覆うように成形した袋状ネットの全面に造花を絡ませ、前記袋状ネットの下端縁に結束用ロープを取り付けたことを特徴とするものである。
【考案の効果】
【０００６】  本考案によると、設置してある電力供給配電箱の全面に袋状ネットが被さり、このネットの全面に造花が絡まっているので、電力供給配電箱への落書きや貼り紙は不可能となる。したがって、落書きや貼り紙を事前に阻止することができ、また、ネットに絡ませた造花が電力供給配電箱に美観を与え、街並みの景観をも維持することができる。
【考案を実施するための最良の形態】
【０００７】  以下に、本考案を実施するための最良の形態を実施例に基づき説明する。
【実施例】
【０００８】  袋状ネット１は、ネットを電力供給配電箱２の外形サイズに合わせてその底部を除く全面を覆うように袋状に成形されている。袋状ネット１は、植物繊維その他の合成繊維素材でなっており、太さ１ｍｍ〜５ｍｍの紐状物を編み込んだものである。また、その網目の大きさは、１０ｍｍ〜１００ｍｍ四方のものが好ましい。このような網状ネット１の全面には、多数の造花３が絡み付けられており、その下端縁には、結束用ロープ４が取り付けられている。この結束用ロープ４には、容易には切断できない材質のものが選ばれる。【０００９】  上記構造の袋状ネット１は、その開口部から電力供給配電箱２に被せられ、台座５のところで結束用ロープ４でしっかりと結束される。台座５は、電力供給配電箱２よりも小さめになっているため、その部分で結束されることで、袋状ネット１が上方へ外れるのを防いでいる。なお、結束部分には、容易には解けないような方策が施されている。【００１０】  こうして、袋状ネット１で電力供給配電箱２を覆うと、その網目と造花３が落書きや貼り紙行為を邪魔して、落書きや貼り紙を事前に阻止することができる。また、ネットに絡ませた造花３が電力供給配電箱２に美観を与え、街並みの景観をも維持することができる。電力供給配電箱２を点検したい場合には、結束用ロープ４の結束を緩め、袋状ネット１を上方から外せばよい。
【図面の簡単な説明】
【００１１】
【図１】  本考案を構成する袋状ネットの電力供給配電箱への被着途中の状態を示す斜視図である。
【図２】  図１の袋状ネットに造花を絡み付けた状態の部分拡大図である。
【符号の説明】
【００１２】  １    袋状ネット
２    電力供給配電箱
３    造花
４    結束用ロープ
５    台座
【図１】
0003126395.tif 000003
【図２】
0003126395.tif 000004
(57)【要約】【課題】  本考案はいかに遊技者が楽にスムーズに投入できる投入口にする。【解決手段】  本考案は投入口（２）にコインが下り傾斜のコイン送り台（１）に複数枚並んだ時にその傾斜により、コインの重さが前列のコイン１（３）に伝わり投入口より落下する。続いてコイン（４）も続くというように複数枚のコインを送り台に置くだけで手をはなすと自動的に落下する投入口となる。【選択図】図１
0003126398.tif 000002
【実用新案登録請求の範囲】
【請求項１】
遊技機の投入口と送り台の関係については、コイン送り台を投入口側に下り傾斜させ、突き当て板との角度を７７°±５°以内となる鋭角的角度をつけることと、取り付け面より２４°±５°の傾斜をつけることによって複数枚のコインが自重にて、投入口に連続落下し投入口下部から排出される構造を持つ投入器具。
【考案の詳細な説明】
【技術分野】
【０００１】  本考案はコイン突き当て板に下り傾斜の送り台をつけた投入口である。
【背景技術】
【０００２】  従来の投入口は一枚づつ垂直に投入するか送り台を上り傾斜にして指で押し当てて投入するしかなかった。
【考案の開示】
【考案が解決しようとする課題】
【０００３】  遊技者にとってメダルを投入する時にいかに早く楽に投入できる事が気持ちよくプレーすることができるかにかかっている、従って投入口に入れて置くだけでコインが自動的に投入される事は非常に効果があることである。
【課題を解決する為の手段】
【０００４】  投入口の突き当て板に対し、コイン送り台を下り傾斜にする時、その角度が非常に大事になる。
コインが自重で落下する為には、７７°±５°範囲内でありまた取り付け面に対しては２４°の角度が必要となる。
【考案の効果】
【０００５】  上述のように本考案は遊技者にとって大変便利でありスムーズに投入できることはプレーをより楽しくさせる効果がある。
【考案の実施をする為の最良の形態】
【０００６】  コインが自重で投入口に連続して投入される為には、コイン送り台の角度が突き当て板に対し鋭角的であることが重要である。角度が少ないとコインは後ろへ倒れてしまい連続落下しなくなり、逆に下り傾斜の角度をつけすぎても前に重心がかかり前倒しとなる。ちょうど良い角度が７７°±５°である。
【実施例】
【０００７】  以下添付図面に従って一実施例を説明する。
コイン送り台（１）より、コイン投入口（２）に移動したコイン１（３）は落下し、続いてコイン２（４）が連続して排出される。【０００８】  コイン送り台（１）の中心線上に溝（６）があり、コインの底面後部２点（７）が重心点となる。【０００９】  コイン送り台溝（６）はコインを２点で支えることにより、コインを安定
させ順次送り出せる機能を有する。
【図面の簡単な説明】
【００１０】
【図１】本考案のコインの自重落下による投入口の実施例を示す側面図である。
【図２】本投入口の断面図である。
【図３】本考案送り台（１）の展開図である。
【符号の説明】
【００１１】  （１）  コイン送り台
（２）  コイン投入口
（３）  コイン１
（４）  コイン２
（５）  コイン突き当て板
（６）  コイン送り台溝
（７）  コイン接点
【図１】
0003126398.tif 000003
【図２】
0003126398.tif 000004
【図３】
0003126398.tif 000005
(57)【要約】      （修正有）【課題】繊維・ポリウレタン・合成樹脂または皮革等の柔軟素材でつくられており、枕部分に音楽再生装置と香り発散装置が施されており、下部の股間に当たる部分に発熱装置がついており、枕部分が折れ曲がっている多機能安眠抱き枕。【解決手段】本考案は，次のような手段を講じる。（１）股間部分に発熱装置を施す。（２）枕部分にＭＤやＩＣメモリ再生装置のような音楽再生装置を施す。（３）枕部分に芳香剤発散装置を施す。（４）枕部分を曲げることにより首及び頭部を置きやすくする。【選択図】図１
0003126375.tif 000002
【実用新案登録請求の範囲】
【請求項１】
繊維・ポリウレタン・合成樹脂または皮革等の柔軟素材でつくられており、枕部分に音楽再生装置と香り発散装置が施されており、下部の股間に当たる部分は発熱装置がついており、枕部分が折れ曲がっている多機能安眠抱き枕。
【考案の詳細な説明】
【考案の詳細な説明】
【技術分野】
【０００１】  本考案は，等身大の抱き枕であり、睡眠時において枕部分には快適な音楽と香りを提供できるようにしてあり、下部には発熱装置により股間部分が温められるようになっている。股間部分が暖まることにより睡眠中の小便等の回数が減る。また枕部分が適切に折れ曲がっており、寝やすくなっている。
【背景技術】
【０００２】  従来の抱き枕はただ抱き心地等を気づかった素材の多様性のみである。
【考案が解決しようとする課題】
【０００３】  以上のように，従来の技術ではいろいろな問題を抱えている。そこで本考案において，解決しようとする課題は次のようなものである。
▲１▼  股間部分を常に暖かくする。
▲２▼  枕部分から優しい音楽が聞こえてくる。
▲３▼  枕部分から芳しい香りがただよってくる。
▲４▼  枕部分を明確にして寝やすくする
【課題を解決するための手段】
【０００４】  本考案は，この目的を達成するために次のような手段を講じる。
▲１▼  股間部分に発熱装置を施す。
▲２▼  枕部分にＭＤやＩＣメモリ再生装置のような音楽再生装置を施す。
▲３▼  枕部分に芳香剤発散装置を施す。
▲４▼  枕部分を曲げることにより首及び頭部を置きやすくする。
【考案を実施するための最良の形態】
【０００５】  本考案のもっとも好ましい実施の形態を添付図の図１に基づいて説明する。
図１において，１は多機能安眠抱き枕の全体である。２は枕部分における電池が内蔵されたＭＤ、ＩＣメモリ等による音楽再生装置である。３は枕部分における粉末剤等による芳香剤発散装置である。４は股間部分における湯たんぽ、電熱、粉末発熱剤等による発熱装置である。５は枕部分の曲がったところである。
【考案の効果】
【０００６】  本考案による多機能安眠抱き枕を使用することによって，次のような効果がある。
▲１▼  股間部分が常に適当な暖かさを保っていることにより、睡眠中における排尿の回数が減る。
▲２▼  枕部分から優しい音楽が流れてくることにより、自然に眠りに入ることができる。
▲３▼  枕部分から芳しい香りが漂ってくることにより、快適に眠りに入ることができる。
▲４▼  枕部分が適切に折れ曲がっていることにより、睡眠中に首および頭部が快適である。
以上のような効果を持つ、多機能安眠抱き枕により、老人等の睡眠時頻尿問題にも寄与できる。
【図面の簡単な説明】
【０００７】
【図１】  本考案による多機能安眠抱き枕そのものを横から見たときの完成図である。
【符号の説明】
１…………多機能安眠抱き枕の全体である
２…………枕部分の音楽再生装置である
３…………枕部分の芳香剤発散装置である
４…………股間部分の発熱装置である
５…………枕部分の曲がったところである
【図１】
0003126375.tif 000003
(57)【要約】【課題】飲料自動販売機につける飲料空容器収納ケースにおいて転倒や飛散を防止するための部品と収納ケースの構造を提供する。【解決手段】自動販売機サイドの空容器収納ケースを倒れにくくし、また風などで離散することを防ぐために、自販機の足部からかけたベルトまたは紐が簡単確実にケース開口部に引っ掛け、繋ぐことができる形状を持つ金属部品や、飲料空容器収ケースに直接引っ掛けることができる形状を有するケース本体と、着脱が簡単な両端にバックルを付けたベルトを使用し、自販機と収納ケースを結びつける。【選択図】図３
0003126372.tif 000002
【実用新案登録請求の範囲】
【請求項１】
飲料などの自動販売機横に設置する空容器を収納するためのケースで、自販機サイドからの風などによる移動や転倒を防ぐため自販機の足部と空容器収納ケースを連結させるための、収納容器本体上部開口部にベルトを引っ掛けるためのセットしやすくはずれにくい金属部品と、回収作業を容易にするための着脱可能なベルト。
【請求項２】
飲料などの自動販売機横に設置する空容器を収納するためのケースで、自販機サイドからの風などによる移動や転倒を防ぐために紐やベルトで自販機の足部に連結するときに、紐やベルトが容器から外れないように、容器収納部本体の側面上部または側面下部に穴または紐やベルトがひっかかるための形状を持つ凸状の出っ張り部を有する空容器収納ケースと着脱可能なベルト。
【考案の詳細な説明】
【技術分野】
【０００１】
本考案は、飲料空容器収納ケースが風で移動したり転倒するのを防ぐためのに使用する部品および空容器収納ケースの形状に関する。
【背景技術】
【０００２】
従来、自動販売機横からの空容器収納ケースの転倒や離散を防ぐために、磁石や吸盤等が使われているが、自動販売機に傷をつけたり結合力が弱かったりという問題があった。  又、自販機と紐を使用して結びつける際も、きっちり閉めにくく、簡単に外れ易く、空容器の回収作業もしにくいという問題があった。
【考案の開示】
【考案が解決しようとする課題】
【０００３】
解決しようとする問題点は、自販機と空容器収納ケースを紐またはベルトでで結びつけるときに、結びにくく外れやすいという点である。
【課題を解決するための手段】
【０００４】
本考案は、自動販売機サイドの空容器収納ケースを倒れにくくし、また風などで離散することを防ぐために、自販機の足部からかけたベルトまたは紐が簡単確実に空容器収納ケースに引っ掛け、繋ぐことができる形状を持つことを特徴とする。
【考案の効果】
【０００５】
本考案においては、空容器収納ケースを自販機の横に結びつけることにより、収納ケースの転倒防止とそれに伴う、空容器などの内容物の離散、また強風によるケースが飛散したときの対物対人身事故のやケース自体の消失を大幅に防止できる。
【考案を実施するための最良の形態】
【０００６】
空容器収納ケースを自動販売機にベルトまたは紐でむすびつけるための簡単で低コストですむ部品と収納ケースの構造を実現した。
【実施例１】
【０００７】
図１はベルトを引っ掛けるための金属部品である。
【０００８】
図２は金属部品を収納ケース本体の開口部にセットした時のものである。
【０００９】
ベルトは図３のように自動販売機の足の内側を通り結ばれる。
【００１０】
ベルトの両端は着脱可能なバックルで結ばれ、空缶等の回収作業時のベルトの取り外しと再装着を容易にさせる。
【実施例２】
【００１１】
図４は収納ケース本体開口部に金属部品を引っ掛ける凸部を有しない形状の場合の、金属部品の形状例である。
【実施例３】
【００１２】
図５は収納ケース本体の側面に凸の形状を設け、ベルトは凸部の形状に引っ掛け自販機と結ばれる。
【００１３】
図６は収納ケース本体の側面の凸部に穴を設け、ベルトは穴を通して自販機と結ばれる。
【実施例４】
【００１４】
図７は収納ケース本体側面に穴を開けたものであり、ベルトは穴を通して自販機と結ばれる。
【産業上の利用可能性】
【００１５】
空容器収納ケースを金属部品使用またはケース本体の構造に穴や凸部を設けることと、着脱可能なベルトで自販機と収納ケースを結びつけることにより、ケースの転倒による内容物の散乱防止の環境美化や、強風飛散による対物対人の衝突防止の安全配慮につなげることができる。
【図面の簡単な説明】
【００１６】
【図１】金属部品の形状図である（実施例１）
【図２】ベルトを金属部品をセットしたときの実施方法を示した説明図である。（実施例１）
【図３】自動販売機とケースを結びつける実施方法を示した説明図である。（実施例１）
【図４】本体側面の形状図である。（実施例２）
【図５】本体側面の形状図である。（実施例３）
【図６】本体側面の形状図である。（実施例３）
【図７】本体側面の形状図である。（実施例４）
【符号の説明】
【００１７】
１    金属部品
２    ベルト
３    バックル部
４    飲料空容器収納ケース本体
５    飲料自動販売機
６    自動販売機足部
【図１】
0003126372.tif 000003
【図２】
0003126372.tif 000004
【図３】
0003126372.tif 000005
【図４】
0003126372.tif 000006
【図５】
0003126372.tif 000007
【図６】
0003126372.tif 000008
【図７】
0003126372.tif 000009
【手続補正書】
【提出日】平成18年8月23日(2006.8.23)
【手続補正１】
【補正対象書類名】実用新案登録請求の範囲
【補正対象項目名】全文
【補正方法】変更
【補正の内容】
【実用新案登録請求の範囲】
【請求項１】
飲料などの自動販売機横に設置する空容器を収納するためのケースで、自動販売機足部と収納ケースを連結させる着脱可能なベルトと、ベルトを収納ケースに取り付ける際の金属部品で、収納ケースに引っ掛ける部分は収納ケース本体上部開口枠凸部の断面と似たコの字状で下部の角部が空いた、収納ケース上部に押入れセットできる形状を持ち、さらに下部にはベルトが通るスペースを有した、バネ性の材質を使用した金属部品を備えた飲料空容器収納ケース。
【請求項２】
飲料などの自動販売機横に設置する空容器を収納するためのケースで、自動販売機足部と収納ケースを連結させる着脱可能なベルトと、収納ケース側面上部に設置された凸部を有し、凸部上部にベルトが通る溝または凸側面にベルトが通る穴部を有する飲料空容器収納ケース。